(57)【要約】      （修正有）【課題】横向きタイプの照明器具に装着したときにランプから出射される光の方向を簡単な構造で容易に調整することができるＬＥＤランプを提供する。【解決手段】ＬＥＤランプ７は、椀状の器具本体を有する照明器具に対してランプ軸が器具本体の中心軸に対して傾斜状態で装着される。ＬＥＤランプ７は、照明器具のソケットに装着される口金２０と、口金２０の中心軸Ｚと直交する平坦面を有し且つ口金２０に連結された台座２２と、台座２２の平坦面に取着されたＬＥＤモジュール２４と、平坦面に対し所定角度で傾斜する反射機能を有する表面２６ｂを有すると共に口金２０の中心軸Ｚ回りに回転自在に設けられた反射板２６とを備え、所定角度は、口金２０がソケットに装着された状態において反射板２６が回転調整されたときに、ＬＥＤモジュール２４からランプ軸と平行に出射された光を器具本体の中心軸と平行な方向に反射させる角度である。【選択図】図２
2011181345.tif 000002
【特許請求の範囲】
【請求項１】
椀状の器具本体を有する照明器具に対して、ランプ軸が前記器具本体の中心軸に対して傾斜状態で装着されるＬＥＤランプであって、
前記照明器具のソケットに装着される口金と、
前記口金の中心軸と直交する平坦面を有し且つ前記口金に連結された台座と、
前記台座の平坦面に取着されたＬＥＤ素子と、
前記平坦面に対し所定角度で傾斜する反射面を有すると共に前記口金の中心軸回りに回転自在に設けられた反射部材と
を備え、
前記所定角度は、前記口金が前記ソケットに装着された状態において前記反射部材が前記口金の中心軸回りに回転調整されたときに、前記ＬＥＤ素子から前記平坦面と直交する方向に出射された光を前記器具本体の中心軸と平行な方向に反射させる角度である
ことを特徴とするＬＥＤランプ。
【請求項２】
前記台座は、筒部と底部とを有する有底筒状をしていると共に前記口金の中心軸回りに回転自在に前記口金に連結され、
当該台座の底部に前記平坦面と前記反射部材とが設けられている
ことを特徴とする請求項１に記載のＬＥＤランプ。
【請求項３】
前記台座は、筒部と底部とを有する有底筒状をし、
前記底部が前記口金の中心軸回りに回転自在に前記筒部に装着され、
前記底部に前記平坦面と前記反射部材とが設けられている
ことを特徴とする請求項１に記載のＬＥＤランプ。
【請求項４】
前記台座には、前記ＬＥＤ素子を覆うグローブが前記口金の中心軸回りに回転自在に設けられ、
当該グローブが前記反射部材であり、前記グローブの内面の一部が前記反射面となっている
ことを特徴とする請求項１に記載のＬＥＤランプ。
【請求項５】
前記台座の内部に、前記口金を介して受電した電力により前記ＬＥＤ素子を点灯させる点灯回路が格納されている
ことを特徴とする請求項１〜４の何れか１項に記載のＬＥＤランプ。
【請求項６】
前記台座の内部には、前記点灯回路を覆う被覆部材が設けられている
ことを特徴とする請求項５に記載のＬＥＤランプ。
【請求項７】
前記被覆部材は、前記台座から外部に突出した状態で前記口金が取り付けられる連結部を有する
ことを特徴とする請求項６に記載のＬＥＤランプ。
【請求項８】
電球形ランプと、当該電球形ランプをそのランプ軸が所定角度で傾斜する状態で着脱自在に装着する照明器具とを備える照明装置において、
前記電球形ランプが請求項１に記載のＬＥＤランプである
ことを特徴とする照明装置。
【発明の詳細な説明】
【技術分野】
【０００１】
本発明は、ＬＥＤ素子（発光ダイオード）を光源とするＬＥＤランプ及び照明装置に関する。
【背景技術】
【０００２】
照明器具として、白熱電球やミニクリプトン電球等（両電球を含め、単に、「電球」ともいう。）を光源に用いた、所謂ダウンライト用照明器具（以下、単に、「照明器具」ともいう。）がある。この照明器具は、電球を装着するソケットと、電球から発せられた光を所定方向に反射させる椀状の反射板（器具本体ともいう。）とを備え、電球を反射板の中心軸に沿って縦向きに装着する（縦向きタイプである。）。
【０００３】
上記縦向きタイプでは、ソケットが反射板の上壁に設けられるため、反射板の高さ（中心軸の延伸方向の寸法）が大きくなっていたが、電球（ソケット）を反射板の中心軸に対して横向きに装着して、反射板の高さを低くしたタイプ（横向きタイプである。）も近年実施されている（非特許文献１参照）。
一方、電球等よりも発光効率が高く、しかも長寿命なＬＥＤ素子を用いた電球形ＬＥＤランプが開発されている（例えば、特許文献１及び２）。このような電球型ＬＥＤランプは、複数のＬＥＤ素子を実装する基板をランプの中心軸と直交する状態で有している。この場合、ＬＥＤ素子から発せられる光の広がり角度が狭い（指向性が強い）ために、上記の横向きタイプの照明器具に装着すると、本来照射すべき照射面を照射しないという問題がある。
【０００４】
これに対し、特許文献３には、ＬＥＤ素子を点灯・消灯させる点灯回路が格納されるカバーを口金に取り付け、ＬＥＤ素子を実装している球状体を、前記カバーに対して回転自在に取り付けた電球形ＬＥＤランプが開示されている。この電球形ＬＥＤランプでは、球状体をカバーに対して回転調整させることにより、ＬＥＤ素子による光の出射方向を口金の中心軸に対して自在に変更できる。
【先行技術文献】
【特許文献】
【０００５】
【特許文献１】特開２００６−３１３７１８号公報
【特許文献３】特開２００９−４１３０号公報
【特許文献３】特開２００８−２５１４４４号公報
【非特許文献】
【０００６】
【非特許文献１】http://panasonic-denko.co.jp/Ebox/online_contents/jpegkgm/NL77440K.jpg
【発明の概要】
【発明が解決しようとする課題】
【０００７】
特許文献３に開示された電球形ＬＥＤランプでは、当該ランプから出射される光の向きを調整することができるが、球状体がカバーの先端部内に回転自在に嵌合されているために、その構造が複雑であるという課題がある。
本発明は、このような課題を解決するものであり、その目的は、横向きタイプの照明器具に装着したときにランプから出射される光の方向を簡単な構造で容易に調整することができるＬＥＤランプを提供することにある。
【課題を解決するための手段】
【０００８】
上記の目的を達成するため、本発明に係るＬＥＤランプは、椀状の器具本体を有する照明器具に対して、ランプ軸が前記器具本体の中心軸に対して傾斜状態で装着されるＬＥＤランプであって、前記照明器具のソケットに装着される口金と、前記口金の中心軸と直交する平坦面を有し且つ前記口金に連結された台座と、前記台座の平坦面に取着されたＬＥＤ素子と、前記平坦面に対し所定角度で傾斜する反射面を有すると共に前記口金の中心軸回りに回転自在に設けられた反射部材とを備え、前記所定角度は、前記口金が前記ソケットに装着された状態において前記反射部材が前記口金の中心軸回りに回転調整されたときに、前記ＬＥＤ素子から前記平坦面と直交する方向に出射された光を前記器具本体の中心軸と平行な方向に反射させる角度であることを特徴としている。
【０００９】
ここでいう「前記口金の中心軸と直交する平坦面」とは、設計上において口金の中心軸と直交すれば良く、製造過程で直交しなくなった場合でも、「直交する」という概念に含まれる。このため、ランプとして完成した場合、平坦面は、口金の中心軸と直交する方向に対して、±５度程度傾斜しても良い。さらに、「前記器具本体の中心軸と平行な方向」とは、設計上において器具本体の中心軸と平行であれば良く、製造過程で平行でなくなった場合でも、「平行」という概念に含まれる。このため、ランプとして完成した場合、平行な方向は、器具本体の中心軸に対して、±１０度程度傾斜しても良い。
【００１０】
また、「前記台座の平坦面に取着されたＬＥＤ素子」とは、平坦面に直接取着されたＬＥＤ素子以外に、平坦面に間接的に取着されたＬＥＤ素子を含む。平坦面に間接的に取着されたＬＥＤ素子の例としては、基板にＬＥＤ素子が実装されてなるモジュールが平坦面に取着される場合、サブマウント方式で取着される場合等である。
【発明の効果】
【００１１】
本発明に係るＬＥＤランプでは、反射部材が口金の中心軸回りに回転自在となっているため、結果的にランプが出射する光の方向を調整することができる。また、反射部材を口金の中心軸回りに回転自在に設けているので、簡単な構造で実施できる。
また、前記台座は、筒部と底部とを有する有底筒状をしていると共に前記口金の中心軸回りに回転自在に前記口金に連結され、当該台座の底部に前記平坦面と前記反射部材とが設けられていることを特徴とし、或いは、前記台座は、筒部と底部とを有する有底筒状をし、前記底部が前記口金の中心軸回りに回転自在に前記筒部に装着され、前記底部に前記平坦面と前記反射部材とが設けられていることを特徴としている。
【００１２】
さらに、前記台座には、前記ＬＥＤ素子を覆うグローブが前記口金の中心軸回りに回転自在に設けられ、当該グローブが前記反射部材であり、前記グローブの内面の一部が前記反射面となっていることを特徴とし、或いは、前記台座の内部に、前記口金を介して受電した電力により前記ＬＥＤ素子を点灯させる点灯回路が格納されていることを特徴としている。
【００１３】
また、前記台座の内部には、前記点灯回路を覆う被覆部材が設けられていることを特徴とし、或いは、前記被覆部材は、前記台座から外部に突出した状態で前記口金が取り付けられる連結部を有することを特徴としている。
また、本発明に係る照明装置は、電球形ランプと、当該電球形ランプをそのランプ軸が所定角度で傾斜する状態で着脱自在に装着する照明器具とを備える照明装置において、前記電球形ランプが上記構成のＬＥＤランプであることを特徴としている。
【図面の簡単な説明】
【００１４】
【図１】第１の実施の形態に係る照明装置の断面図である。
【図２】第１の実施の形態に係るＬＥＤランプを示す断面図である。
【図３】図２のＢ方向から見た図であり、反射板の様子が分かるように一部を切り欠いている。
【図４】ＬＥＤランプの分解斜視図である。
【図５】ＬＥＤモジュール及び反射板が装着されている蓋体の斜視図である。
【図６】ＬＥＤモジュールを搭載する蓋体の断面図である。
【図７】第２の実施の形態に係るＬＥＤランプを示す断面図である。
【図８】図７のＣ方向から見た図であり、内部の反射板の様子が分かるようにグローブを切り欠いている。
【図９】図７のＤ部の拡大図である。
【図１０】反射部材に係る変形例を示す図である。
【図１１】グローブの斜視図である。
【発明を実施するための形態】
【００１５】
以下、本発明に係るＬＥＤランプ及び照明装置の例である実施の形態について図面を参照しながら説明する。
＜第１の実施の形態＞
１．照明装置
図１は、第１の実施の形態に係る照明装置の断面図である。
【００１６】
照明装置１は、天井３の開口３ａを利用して天井３に埋設された照明器具５と、照明器具５に取り付けられたＬＥＤランプ７とを備える。なお、ＬＥＤランプ７については後で説明する。
照明器具５は、所謂、ダウンライト用であり、碗状の器具本体９と、光源である電球形ランプ（既存の電球、ＬＥＤ電球、ＬＥＤランプを含む。）を装着するためのソケット１１と、ソケット１１を器具本体９に対して所定角度で傾斜させて器具本体９に連結する連結部材１３と、商用電源と接続される接続部１５とを有する。なお、電球形ランプとは、白熱電球やミニクリプトン電球等の既存の電球が装着される照明器具にそのまま装着して使用できるランプをいう。
【００１７】
ソケット１１は、ソケット１１の中心軸（ＬＥＤランプ７の中心軸でもある。）Ｙが器具本体９の中心軸Ｘに対して所定の傾斜角度Ａ、例えば７０度で傾斜している。なお、ソケットの傾斜角度は、中心軸Ｘ，Ｙの交点Ｏを中心として、当該交点Ｏよりも上方に延伸している中心軸Ｘを起点としている。
２．ＬＥＤランプ
図２は、第１の実施の形態に係るＬＥＤランプを示す断面図であり、図３は、図２のＢ方向から見た図であり、反射板の様子が分かるように一部を切り欠いている。図４は、ＬＥＤランプの分解斜視図である。
【００１８】
図２の仮想線Ｚは、口金の中心軸でもあり、ＬＥＤランプの中心軸であるランプ軸でもある。また、図２における仮想線Ｚは、ＬＥＤランプ７が照明器具５に装着されると、図１に示す仮想線Ｙになる。一方、図４には、ＬＥＤモジュール２４、反射板２６及びグローブ３２の図示は省略している。
ＬＥＤランプ７は、照明器具５のソケット１１に装着自在に装着される口金２０と、口金２０に対し口金２０の中心軸Ｚを中心とする軸回りに回転可能に連結され且つ口金２０の中心軸Ｚと直交する平坦面を有する台座２２と、台座２２の平坦面に搭載されたＬＥＤモジュール２４と、ＬＥＤモジュール２４から発せられた光を所定方向に反射させる反射板（本発明の「反射部材」である。）２６と、ＬＥＤモジュール２４を点灯させる点灯回路２８と、台座２２内に収容され且つ点灯回路２８を覆う被覆部材３０と、ＬＥＤモジュール２４を覆うグローブ３２とを有する。
（１）口金２０
口金２０は、図２〜図４に示すように、既存の電球を装着する照明器具５にも適合できるように、既存電球の口金と同じものであり、例えば、ＪＩＳ（日本工業規格）に規定するＥタイプやＧタイプが用いられる。
【００１９】
ここでの口金２０は、Ｅ１７であり、図２に示すように、筒状のシェル３４にアイレット３６が絶縁接続体３８を介して接続されている。シェル３４及びアイレット３６は、供給線４０ａ，４０ｂを介して点灯回路２８と接続され、これら一対の供給線４０ａ，４０ｂは一本のケーブル４０を構成する。なお、口金２０は、シェル３４の雌ネジ部を利用して、被覆部材３０の連結部１０２に螺着されている。
（２）台座２２
台座２２は、図２及び図４に示すように、両端に開口を有する筒体４２と、筒体４２の一端側の開口を塞ぐように内設された蓋体４４とを備える。ここでの筒体４２の一端は、口金２０の存する側と反対側の端を指し、他端は口金２０の存する側の端を指す。
【００２０】
筒体４２と蓋体４４は、例えば、接着剤４３により固着（一体化）されており、口金２０に対して後述する機構により回転自在となっている。なお、他の公知な技術、例えば、ネジ、圧入、かしめ、溶接等により筒体４２に蓋体４４を一体的に接合しても良い。
筒体４２は、図２に示すように、横断面形状が円環状の筒状をし、ランプ軸上を一端から他端に移るに従って直径が小さくなるコーン状をしている。具体的には、一端から中間までは緩やかに傾斜する第1の傾斜部４６であり、中間から他端（ランプ軸に沿っての端である。）までは第1の傾斜部４６よりも急に傾斜する第２の傾斜部４８と、他端で中心軸に向かって屈曲する屈曲部４９とからなる。なお、屈曲部４９は筒体４２の中心軸Ｚにまで達しておらず、屈曲部４９の周縁により開口４９ａが形成されている。
【００２１】
蓋体４４は、図２に示すように、円盤状をし、その表側にＬＥＤモジュール２４を搭載するための搭載部５０と、反射板２６の一端を固定するための固定部５２とを有し、裏側に点灯回路２８を取り付けるための取付部５４（図４も参照）を有する。
図５は、ＬＥＤモジュール及び反射板が装着されている蓋体の斜視図である。
蓋体４４の表側の搭載部５０は、図２、図３及び図５に示すように、表面に形成されている凹入部分により構成され、この凹入部分に後述のＬＥＤモジュール２４の基板７２が嵌め込まれ、この状態でＬＥＤモジュール２４を押さえる押さえ板５６がネジ８４，８４により螺着されている。
【００２２】
ここで、凹入部分の底の平坦面は上述したＬＥＤモジュール２４を搭載する平坦面である。また、押さえ板５６については、ＬＥＤモジュール２４の欄で説明し、図２においてその図示を省略している。
固定部５２は、図２及び図５に示すように、反射板２６の下端部２６ａに対応した幅・深さ・傾斜角度で形成された溝部分により構成され、この溝部分に反射板２６の下端部２６ａが挿入され、接着剤で固着されることで固定されている。なお、反射板２６は、溝に配された接着剤による固着以外に、ネジ、溶接、係合構造等を利用して固定されても良い。
【００２３】
取付部５４は、点灯回路２８を構成する電子部品８８，９０を実装している回路基板８６を保持する回路保持部材９２を装着できるように、裏側に形成された凹入部分により構成されている。
蓋体４４の外周面は、小径部５８の外周面と大径部６０の外周面とからなると共に段差状になっている。大径部６０は筒体４２の一端部内に挿入され、筒体４２の内周面に当接（接触）する。小径部５８は、蓋体４４が筒体４２の一端部内に挿入された状態で、筒体４２との間にグローブ３２固定用の溝６２を形成する。
（３）ＬＥＤモジュール２４
図６は、ＬＥＤモジュールを搭載する蓋体の断面図である。なお、反射板２６の図示は省略する。
【００２４】
ＬＥＤモジュール２４は、同図に示すように、表面に配線パターン７０を有する基板７２と、基板７２の表面に実装された複数のＬＥＤ素子７４と、複数のＬＥＤ素子７４を封止する封止体７６とを備える。
図６では、ＬＥＤモジュール２４に実装されているＬＥＤ素子７４は３個現れているが、封止体７６により覆われている他のＬＥＤ素子（７４）を含めて合計３６個が実装されている。なお、ＬＥＤ素子７４の実装数はこれに限定するものではなく、ランプの仕様、ＬＥＤ素子の仕様等により適宜決定される。
【００２５】
基板７２は、絶縁性材料（例えば、セラミックである。）により構成され、ここでは平面視正方形状をしている。配線パターン７０は、基板７２上に実装される複数のＬＥＤ素子７４を直列及び／又は並列に接続するための接続部７８と、点灯回路２８から受電するための端子部８０とを有する。なお、端子部８０は、図６に示すように、蓋体４４を貫通する貫通孔８１を通って、台座２２の内部から蓋体４４の表側に導出された一対のリード線８２，８２と接続される。
【００２６】
封止体７６は、例えば、透光性樹脂（例えば、シリコーン樹脂である。）等により構成され、ＬＥＤ素子７４から発せられた光の波長を変換する必要がある場合は、蛍光体粉末等の波長変換機能を有する材料が透光性樹脂に混入される。
例えば、ＬＥＤモジュール２４から白色光を出射させる場合、ＬＥＤ素子７４として青色発光するＧａＮ系の素子を用いると、蛍光体粉末として、(Ｂａ,Ｓｒ)2ＳｉＯ4:Ｅｕ2+の黄緑色蛍光体粉末とＳｒ2Ｓｉ5Ｎ8:Ｅｕ2+赤色蛍光体粉末とを用いれば実施できる。
【００２７】
なお、ＬＥＤ素子７４から発せられた光の波長を変換する必要がある場合、例えば、グローブ３２の内周面に蛍光体粉末を含む蛍光膜を形成することでも実施できる。
ＬＥＤモジュール２４は、上述したように、押さえ板５６によって蓋体４４の表面に押圧・固定されている。押さえ板５６は、図５に示すように、ＬＥＤモジュール２４よりも大きく、ＬＥＤモジュール２４の封止体７６と端子部８０とに対応する部分が開口している。これにより、押さえ板５６をＬＥＤモジュール２４に被せたときに、押さえ板５６が基板７２の表面に当接すると共に蓋体４４の表面にも当接する。なお、押さえ板５６における蓋体４４と当接する当接部分がネジ８４，８４により蓋体４４に螺着されている。
【００２８】
なお、ＬＥＤモジュール２４は、蓋体４４の凹入部分（５０）に接着剤により固着されても良い。この場合、ＬＥＤモジュール２４と凹入部分とが接着剤を介して完全に密着するので、ＬＥＤモジュール２４の熱を効率良く蓋体４４に伝えることができる。
（４）反射板２６
反射板２６は、ＬＥＤモジュール２４から出射された光のうち、主にランプ軸Ｙと平行な方向に出射された光を所定方向に反射させるためのものである。
【００２９】
ここでの所定方向とは、ＬＥＤランプ７を横向きタイプの照明器具５に装着され且つ反射板２６が所定方向を向いた状態（図１では下方を向いた状態である。）になったときに、器具本体９の中心軸Ｘと平行な方向である（図１である。）。
また、ＬＥＤモジュール２４から出射された光のうち、主にランプ軸Ｙと平行な方向に出射された光は、正確に言うと、ＬＥＤモジュール２４のＬＥＤ素子７４の発光層から当該発光層と直交する方向に出射された光である。
【００３０】
反射板２６は、例えば、アルミニウム、樹脂、セラミック等により構成され、その表面２６ｂが反射機能を有する。ここでの表面２６ｂは、ＬＥＤモジュール２４側に位置する主面であり、反射機能は、例えば、反射板２６に金属を用いた場合は鏡面加工により、樹脂・セラミック等を用いた場合はめっき加工・反射膜の成形により、さらには反射シートの貼着等によりそれぞれ実施できる。
【００３１】
なお、反射板２６は、上述したように、蓋体４４の固定部５２である溝に下端部２６ａが挿入されることで固定されている。
（５）点灯回路２８
点灯回路２８は、口金２０を介して供給される電力を利用してＬＥＤ素子７４を点灯させる。点灯回路２８は、図２に示すように、回路基板８６に実装されている複数の電子部品８８，９０等から構成され、例えば、整流・平滑回路、ＤＣ／ＤＣコンバータ等から構成されている。なお、複数の電子部品の符号は、便宜上「８８」と「９０」で表している。
【００３２】
回路基板８６は、その一の主面に上記電子部品８８，９０を実装し、電子部品８８，９０が口金２０側に位置するように回路保持部材９２に取着された状態で、当該回路保持部材９２がネジ９４，９４を介して蓋体４４の取付部５４に取り付けられている。なお、回路基板８６の他の主面には、ＬＥＤモジュール２４の端子部８０と接続されたリード線８２，８２が電気的に接続する。
【００３３】
回路保持部材９２は、有底筒状をし、図２及び図４、特に図４に示すように、底部には、回路基板８６の部材内への進入を規制する（つまり、ランプ軸方向における位置決め用である。）複数（ここでは２個である。）の凸部９５，９５と、回路基板８６の外周縁に係止する係止部９６，９６とを備える。
なお、回路基板８６は、図４に示すように、上記係止部９６，９６に対応する部分には係止部９６，９６用の切欠９８，９８を有する。
（６）被覆部材３０
被覆部材３０は、点灯時のＬＥＤモジュール２４から発せられた熱から点灯回路２８を保護するためのものであり、台座２２の筒体４２との間に隙間が存する状態で、筒体４２の内部に配されている。
【００３４】
被覆部材３０は、図２から図４に示すように、筒体４２の内部に格納されている本体部１００と、本体部１００の他端から筒体４２の他端側の開口４９ａを通って外部へと突出して口金２０と連結される連結部１０２とを有している。
本体部１００は、底部中央に開口（貫通孔）を有する有底筒状をし、筒体４２の形状に合わせて、傾斜が緩やかな第１傾斜部１０４、傾斜が急な第２傾斜部１０６、底部１１０を一端側から他端側へとこの順で有している。
【００３５】
連結部１０２は、底部１１０から本体部１００の中心軸に沿って筒状に延出している。つまり、連結部１０２と本体部１００との両中心軸が一致している。
連結部１０２の先端側（本体部１００と反対側である。）の部分１１２は、口金２０におけるシェル３４の雌ネジ部に螺合する雄ネジ部になっており、連結部１０２の先端部分１１２が口金２０のシェル３４に螺着することで、両者が組み合わされる（結合される）。なお、筒体４２、被覆部材３０、口金２０の結合については後述する。
（７）グローブ３２
グローブ３２は、例えば半球状をし、外観上、ミニクリプトン電球のバルブ形状に似せている。グローブ３２は、ＬＥＤモジュール２４及び反射板２６を被覆する状態で、台座２２に装着されている。
【００３６】
ここでは、グローブ３２の開口側の端部が、その端面が大径部６０に当接するまで溝６２に挿入された状態で、溝６２に配された接着剤１１４により筒体４２及び蓋体４４に固着されている。なお、溝６２は筒体４２の内周面、蓋体４４の小径部５８の外周面及び大径部６０の表面により環状に形成されている。
グローブ３２の内周面のうち反射板２６を含めた後方に位置する領域には、反射膜１１５が設けられており、ＬＥＤモジュール２４から前記領域方向に出射された光をなるべく反射板２６の前方に反射させるようにしている。この反射膜１１５は、例えば、アルミニウム等の金属蒸着膜により構成される。
【００３７】
ここで、反射板２６を含めた後方に位置する領域とは、ＬＥＤランプ７がソケット１１に装着され、反射板２６が口金２０の中心軸Ｚ回りに回転されることで、ＬＥＤモジュール２４から平坦面と直交する方向に出射された光が器具本体９の中心軸Ｘと平行な方向（照射方向とする。）に反射されるようになった状態において、反射板２６の最前端となる端縁を含む且つランプ軸と平行な平面よりも後方に位置する領域である。具体的には、図２において、反射板２６の上端縁を含む平面より後方が相当する。
（８）台座、口金、回路ケースの関係について
被覆部材３０は、その本体部１００が筒体４２の他端側の開口４９ａよりも大きく、連結部１０２が開口４９ａを通って外部へと突出し、この突出した部分に口金２０が螺着される。これにより、被覆部材３０と口金２０とが固定されると同時に、筒体４２が口金２０等に対して回転可能な状態で被覆部材３０と口金２０とに挟持されることになる。
【００３８】
ここでは、筒体４２がアルミニウムにより構成されているため、口金２０と筒体４２との絶縁性を確保するために、口金２０と筒体４２との間に絶縁リング１１６及びワッシャ１１８が挿入されている（介在している。）。
なお、ワッシャ１１８は、筒体４２側に配され、筒体４２の開口４９ａよりも大きく、ワッシャ１１８の側面と筒体４２の屈曲部４９の外面とが当接している。
【００３９】
本実施の形態では、台座２２が口金２０に対して３６０（度）以上回転するのを規制する回転規制機能が設けられている。これは、点灯回路２８は、台座２２の回転に伴って回転し、さらに口金２０と供給線４０ａ，４０ｂにより接続されているため、台座２２の回転に伴って、供給線４０ａ，４０ｂが、切断したり、口金２０から外れたりするのを防止するためである。
【００４０】
回転規制機能は、被覆部材３０側に設けられた係止手段と、筒体４２側に設けられた被係止手段とが、口金２０（被覆部材３０）に対して筒体４２(台座２２）が回転した際に所定の回転位置で係合することで行われる。
具体的には、筒体４２の開口４９ａの内周面に当接する凸部１２０を有する係止ワッシャ１２２が被覆部材３０の底部１１０に対し固着又は嵌合等により回転規制され、筒体４２の中心軸側に突出する被係合突部１２４が筒体４２の開口４９ａに形成されている。
【００４１】
これにより、係止ワッシャ１２２の凸部１２０が筒体４２の開口４９ａの内周面に当接する状態で、筒体４２が回転し、やがて、係止ワッシャ１２２の凸部１２０が筒体４２の開口４９ａの被係合突部１２４に当接（係合）して、その回転が規制されることとなる。
なお、係止ワッシャ１２２は、筒体４２の開口４９ａよりも大きく、係止ワッシャ１２２の側面と筒体４２の屈曲部４９の内面とが当接している。また、ここでは、係止ワッシャ１２２に凸部１２０を設けていたが、例えば、被覆部材３０の底部１１０に凸部を設けても、回転規制効果は得られる。
【００４２】
また、上記説明では台座２２が口金２０に対して回転自在な構造となっていたが、例えば、台座２２を構成している蓋体（４４）を筒体（４２）に対して回転自在に装着し、この蓋体（４４）に反射板（２６）を設けても良い。
２．使用方法
ＬＥＤランプ７の使用方法について説明する。
【００４３】
まず、ＬＥＤランプ７を準備し、当該ＬＥＤランプ７を照明器具５に装着する。具体的には、ＬＥＤランプ７の口金２０を当該口金２０の中心軸（ランプ軸でもある。）回りに回転させながら、照明器具５のソケット１１に対して装着する。
この際、台座２２及びグローブ３２は、図１に示すように、口金２０の中心軸Ｙ回りに回転（３６０度以内である。）自在であるが３６０度を超えて回転することはできないため、ＬＥＤランプ７の照明器具５への装着時に、台座２２及びグローブ３２が口金２０に対して空回りするようなことはなく、台座２２の筒体４２又はグローブ３２を回転させれば、口金２０がソケット１１内に進入し、ＬＥＤランプ７が照明器具５に装着されることとなる。
【００４４】
次に、ＬＥＤランプ７内の反射板２６の向きの調整が必要な場合、つまり、反射板２６で反射された光が器具本体９の中心軸Ｘに沿って出射しない場合、台座２２及び／又はグローブ３２をランプ軸Ｙ回りに回転させて、反射板２６の向きを調整する。
このとき、台座２２及びグローブ３２は口金２０に対して３６０度に近い角度で回転・調整できるため、反射板２６の向きを容易に調整できる。また、台座２２の筒体４２は被覆部材３０と口金２０とで挟み込まれているため台座２２及びグローブ３２が口金２０に対して回転し難く、長期間の使用によって反射板２６の向きが変わるようなことを防止できる。
【００４５】
＜第２の実施の形態＞
第１の実施の形態では、反射部材が反射板２６により構成され、当該反射板２６が台座２２の蓋体４４に装着され、台座２２が口金２０に回転自在に取り付けられていた。
第２の実施の形態では、反射部材が第１の実施の形態と同様に反射板により構成されているが、当該反射板がグローブに装着され、当該グローブが台座にランプ軸回りに回転自在に取り付けられている点で第１の実施の形態と異なる。
【００４６】
図７は、第２の実施の形態に係るＬＥＤランプを示す断面図である。
第２の実施の形態に係るＬＥＤランプ２０１は、図７に示すように、口金２０３を有する口金部材２０４と、口金部材２０４に連結され且つ口金２０３の中心軸と直交する平坦面を有する台座２０５と、台座２０５の平坦面に搭載されたＬＥＤモジュール２０７と、ＬＥＤモジュール２０７から発せられた光を所定方向に反射させる反射板２０９と、ＬＥＤモジュール２０７を点灯させる点灯回路２１１と、台座２０５内に収容され且つ点灯回路２１１を格納する回路ホルダ２１３と、ＬＥＤモジュール２０７を覆うグローブ２１５とを有する。
【００４７】
口金部材２０４は、照明器具５のソケット１１に取着され、このソケット１１から給電を受けるための口金２０３と、当該口金２０３の開口側の端部に装着され且つ回路ホルダ２１３の連結部２４５の外周に装着される外嵌部２１７とを有している。
台座２０５は、第１の実施の形態と同様に、筒体２１９と蓋体２２１とを備え、筒体２１９の屈曲部２２２が回路ホルダ２１３と口金部材２０４とに挟持されることで、台座２０５、回路ホルダ２１３及び口金部材２０４が一体化されている。
【００４８】
蓋体２２１は、その表側の中央にＬＥＤモジュール２０７を搭載（実装）するための搭載部を構成する凹入部分の平坦面（凹入部分の底面）を有し、蓋体２２１が筒体２１９に接合されている。
ＬＥＤモジュール２０７は、配線パターンが形成された基板、ＬＥＤ素子及び封止体を備える。なお、本実施の形態では、平面視略正方形状をしている。
【００４９】
反射板２０９は、第１の実施の形態と同様に、ＬＥＤモジュール２０７から出射された光を所定方向に反射させるものである。本実施の形態に係る反射板２０９は、ＬＥＤモジュール２０７に対して所定の角度で傾斜してＬＥＤモジュール２０７からの光を反射させる反射部２２３と、反射部２２３の上下端部に設けられた取付部２２５，２２７とを有する。なお、反射部２２３は、例えば、反射板の面に形成された反射膜等により構成されている。
【００５０】
図８は、図７のＣ方向から見た図であり、内部の反射板の様子が分かるようにグローブを切り欠いている。
取付部２２５，２２７は、反射板２０９をグローブ２１５内に取り付けるためのもので、取付部２２５，２２７が、例えば、接着剤によりグローブ２１５内に固着される。取付部２２５は、反射部２２３におけるランプ軸の延伸方向であってＬＥＤモジュール２０７に近い側の端部（下端部）からランプ軸と直交する方向に延伸した後グローブ２１５の内面に沿って延伸している。取付部２２７は、反射部２２３におけるランプ軸の延伸方向であってＬＥＤモジュール２０７に遠い側の端部(上端部）からグローブ２１５の内面に沿って延伸している。
【００５１】
反射板２０９は、反射部２２３をランプ軸方向に投影したときに、投影した面積がＬＥＤモジュール２０７における封止体のランプ軸方向から見た面積よりも大きくなっている
図７に戻って、点灯回路２１１は、第１の実施の形態と同様に、基板２２９に複数の電子部品２３１，２３３が実装されてなり、基板２２９が回路ホルダ２１３内の位置決め手段２３５により位置決めされた状態で、係止手段２３７により係止されている。
【００５２】
回路ホルダ２１３は、筒状の筒体２３９と、筒体２３９の開口を塞ぐ蓋体２４１とを備え、蓋体２４１の裏面に上記位置決め手段２３５と係止手段２３７とが形成されている。筒体２３９は、台座２０５の内部に格納される本体部２４３と、本体部２４３の他端から台座２０５の外部へと突出して口金部材２０４と連結する連結部２４５とからなる。
蓋体２４１と筒体２３９との結合は、蓋体２４１の係止爪２４７が、筒体２３９の係止孔２４９に係止することで行われている。なお、蓋体２４１は、ネジ２５１により台座２０５に螺着されている。
【００５３】
グローブ２１５は、第１の実施の形態と同様に、半球状をし、開口端部が台座２０５に回転自在に装着され、内部に反射板２０９が装着されている。
なお、グローブ２１５の内面のうち反射部２２３の後方に位置する領域にも反射膜２１６が形成されており、ＬＥＤモジュール２０７から垂直に出射された光をなるべく反射板２０９の前方である照射面側へと反射させるようにしている。なお、反射部２２３の後方に位置する領域とは、第１の実施の形態と同様である。
【００５４】
図９は、図７のＤ部の拡大図である。
グローブ２１５の回転自在な構成について説明する。
グローブ２１５の開口側端部２５３はその横断面において外方へ円弧状に突出する形状をしている。この開口側端部２５３は、蓋体２２１と筒体２１９との間に形成されている溝２５５に、抜け防止用リング２５７と共に挿入されている。
【００５５】
抜け防止用リング２５７は、グローブ２１５の開口側端部２５３の円弧状に突出している部分の上方へと突出する形状を有し、この抜け防止用リング２５７が接着剤２５９により筒体２１９の開口側端部の内周面に固着されている。これにより、グローブ２１５は、台座２０５から外れることなく、ランプ軸回りに回転自在に支持されたことになる。
＜変形例＞
１．反射部材
上記実施の形態では、反射部材は反射板２６，２０９であり、第１の実施の形態では台座２２に装着され、第２の実施の形態ではグローブ２１５に装着されていた。
【００５６】
しかしながら、ＬＥＤモジュールから出射される光のうち、ランプ軸と平行な方向へ出射された光を器具本体９の中心軸に沿うように反射できれば良く、反射部材に反射板を利用する必要はない。なお、器具本体９の中心軸に沿って出射される側を照射面ともいう。
図１０は、反射部材に係る変形例を示す図であり、図１１はグローブの斜視図である。
本例では、第１及び第２の実施の形態に係る反射面を、グローブの内面の所定領域に反射膜を形成して、グローブを反射部材としている。なお、本例では、グローブが反射機能を有している点で、第２の実施の形態と異なり、他の構成は第２の実施の形態と同じである。
【００５７】
グローブ３０１は、ＬＥＤモジュール２０７を被覆し、ランプ軸回りに回転自在に台座２０５に装着されている。なお、装着構造は第２の実施の形態に係るグローブ２１５と台座２０５との装着構造と同じである。
グローブ３０１は、その内面における一部に、ＬＥＤモジュール２０７から出射される光のうち、ランプ軸と平行な方向へ出射された光を照射面側に反射させる反射膜３１３を有する。この反射膜３１３は、例えば、第１の実施の形態と同様に、アルミニウム等の金属蒸着膜により構成される。
【００５８】
グローブ３０１は、上部３０３が半球状の一部が凹んだような形状をし、下部３０５が円筒形状をし、グローブ３０１の下部３０５が台座２０５に装着されている。
グローブ３０１の上部３０３は、ＬＥＤモジュール２０７を基準にして照射側（図１０では、右側である。）と反対側をＬＥＤモジュール２０７と平行（ランプ軸と直行する方向）に延伸する平坦部３０７と、ＬＥＤモジュール２０７の上方に相当する領域を含み且つＬＥＤモジュール２０７に対して所定の角度で傾斜する反射部３０９と、反射部３０９の周縁から半球の一部を構成するように円弧状に湾曲する球面部３１１とを有する。
【００５９】
反射部３０９はその内面には反射膜３１３が形成されており反射面となっている。グローブ３０１は、例えば、ポリカーボネート等の樹脂材料やガラス等の無機材料により構成されている。
グローブ３０１の内面のうち反射部３０９の後方に位置する領域にも反射膜３１５が形成されており、ＬＥＤモジュール２０７から垂直に出射された光をなるべく反射部３０９の前方である照射面側へと反射させるようにしている。なお、反射部３０９の後方に位置する領域とは、第１の実施の形態と同様である。
２．反射面
実施の形態及び上記変形例では、反射面は平面であったが、曲面であっても良い。さらに、ＬＥＤモジュールから平坦面と直交する方向（ランプ軸に沿う方向）に出射された光が反射面に到達する領域だけが平面で、他の領域が曲面であっても良い。
【００６０】
また、反射面を曲面にする場合、ランプからの光が集光するように、あるいは、ランプからの光が拡散するように、ＬＥＤモジュールからの光を反射させるようにしても良い。
【産業上の利用可能性】
【００６１】
本発明は、ＬＥＤ素子を光源とするＬＥＤランプにおいて、ミニクリプトン電球等の既存の電球の代替として有用な技術である。
【符号の説明】
【００６２】
７      ＬＥＤランプ
２０      口金
２２      台座
２４      ＬＥＤモジュール
２６      反射板
２８      点灯回路
３０      被覆部材
３２      グローブ
２２      連結部
【図１】
2011181345.tif 000003
【図２】
2011181345.tif 000004
【図３】
2011181345.tif 000005
【図４】
2011181345.tif 000006
【図５】
2011181345.tif 000007
【図６】
2011181345.tif 000008
【図７】
2011181345.tif 000009
【図８】
2011181345.tif 000010
【図９】
2011181345.tif 000011
【図１０】
2011181345.tif 000012
【図１１】
2011181345.tif 000013